(57)【要約】【課題】  釣糸係止部を有するスピニングリールのスプールにおいて、任意の太さの釣り糸を係止できるようにする。【解決手段】  スプール４は、糸巻胴部７ａとスカート部７ｂとを有するスプール本体７と、スカート部７ｂの外周において異なる太さの釣り糸を係止可能な釣糸係止部７０とを主に備えている。釣糸係止部７０は、直径の小さい第１釣り糸Ｌ１を係止可能な第１係止部７０ｆと、第１釣り糸Ｌ１より直径の大きい第２釣り糸Ｌ２を係止可能な第２係止部７０ｇとを有している。【選択図】      図３
2006204153.tif 000002
【特許請求の範囲】
【請求項１】
リール本体に対して前後移動自在なスピニングリールのスプールであって、
外周に釣り糸が巻き付けられる糸巻胴部と、
前記糸巻胴部の後端部に設けられ、前記糸巻胴部より大径のスカート部と、
前記スカート部の外周において異なる太さの釣り糸を係止可能な複数の係止部を有する１つの釣糸係止部と、
を備えたスピニングリールのスプール。
【請求項２】
リール本体に対して前後移動自在なスピニングリールのスプールであって、
外周に釣り糸が巻き付けられる糸巻胴部と、
前記糸巻胴部の後端部に設けられ、前記糸巻胴部より大径のスカート部と、
前記スカート部の外周において異なる太さの釣り糸を係止可能な係止部をそれぞれ有する複数の釣糸係止部と、
を備えたスピニングリールのスプール。
【請求項３】
前記１つの釣糸係止部は、第１釣り糸を係止可能な第１係止部と、前記第１釣り糸より太い第２釣り糸を係止可能な第２係止部とを有している、請求項１に記載のスピニングリールのスプール。
【請求項４】
前記複数の釣糸係止部は、前記スカート部外周の周方向に沿って間隔を隔てて設けられている、請求項２に記載のスピニングリールのスプール。
【請求項５】
前記複数の釣糸係止部は、第１釣り糸を係止可能な第１係止部を有する第１釣糸係止部と、前記第１釣り糸より太い第２釣り糸を係止可能な第２係止部を有する第２釣糸係止部とを備えている、請求項２又は４に記載のスピニングリールのスプール。
【請求項６】
前記第２係止部と前記スカート部との間の隙間は、前記第１係止部と前記スカート部との間の隙間より大きい、請求項３又は５に記載のスピニングリールのスプール。
【請求項７】
前記１つの釣糸係止部と前記スカート部との間に介装された板状のシート部材をさらに備えており、
前記シート部材は、前記第２係止部に対向する部分に形成され、前記第２釣り糸を挿入可能な凹陥部を有している、請求項３に記載のスピニングリールのスプール。
【請求項８】
前記凹陥部は、前記第２係止部の幅より長くなるように形成されている、請求項７に記載のスピニングリールのスプール。
【請求項９】
前記第１釣糸係止部と前記スカート部との間に介装された板状のシート部材をさらに備えている、請求項５に記載のスピニングリールのスプール。
【請求項１０】
前記第２係止部と前記スカート部との間の隙間は、前記第１係止部と前記シート部材との間の隙間より大きい、請求項７から９のいずれか１項に記載のスピニングリールのスプール。
【発明の詳細な説明】
【技術分野】
【０００１】
本発明は、特に、リール本体に対して前後移動自在なスピニングリールのスプールに関する。
【背景技術】
【０００２】
スピニングリールは、一般に、ハンドルを回転自在に支持するリール本体と、ロータと、スプールとを備えている。スピニングリールのスプールは、リール本体に対して前後移動自在であり、外周に釣り糸が巻かれる糸巻胴部と、糸巻胴部の前端に配置された前フランジ部と、糸巻胴部の後方に糸巻胴部より大径となるように形成されたスカート部とを有している。スカート部の外周には、糸巻胴部に巻かれた釣り糸の先端部分を係止するための釣糸係止部が１つ設けられている（たとえば、特許文献１参照）。
【０００３】
このような釣糸係止部は、釣り糸の先端部分を係止し、釣り糸がばらけないようにするためのものである。釣糸係止部は、合成樹脂製の係止部と、係止部と一体成形された板状の取付部とを有している。係止部は、たとえばスカート部の外周面に沿って露出し、スカート部外周面と僅かな隙間をあけて配置されている。取付部は、係止部から略直角方向に折れ曲がってスカート部に形成された透孔を貫通し、スカート部内周側の前端部に固定されている。このような釣糸係止部では、係止部とスカート部との間に形成された隙間に釣り糸を挟持し、係止部における合成樹脂の弾性力により釣り糸を係止している。この種の釣糸係止部では、一般的なＰＥライン、ナイロンライン、フロロカーボンライン等の比較的直径の小さい道糸を係止するために、係止部とスカート部との間に形成された隙間が道糸の直径と略同一になるように狭く形成されている。
【特許文献１】特開２００１−１０３８８０号公報
【発明の開示】
【発明が解決しようとする課題】
【０００４】
前記従来の釣糸係止部は、係止部とスカート部との間に形成された隙間が道糸の直径と略同一になるように狭く形成されているので、比較的直径の小さい道糸を係止することができる。また、海釣りにおいてジギングを行うときには、道糸の先端に道糸より直径が大きいリーダーを連結することがある。しかし、リーダーの直径は道糸の直径に比して大きいので、係止部とスカート部との間に形成された隙間が狭い釣糸係止部にリーダーを係止することは非常に困難である。また、係止部が合成樹脂製の場合、隙間が狭い釣糸係止部にリーダーを無理矢理係止すると、係止部が塑性変形してしまい、その後に直径の小さい道糸を係止することができなくなる。そこで、釣糸係止部にリーダーを係止するために、係止部とスカート部との間に形成された隙間を広くすることが考えられるが、係止部とスカート部との間に形成された隙間を広くすると、リーダーより直径が小さい道糸を係止できなくなるおそれが生じる。
【０００５】
本発明の課題は、釣糸係止部を有するスピニングリールのスプールにおいて、任意の太さの釣り糸を係止できるようにすることにある。
【課題を解決するための手段】
【０００６】
発明１に係るスピニングリールのスプールは、リール本体に対して前後移動自在なスピニングリールのスプールであって、外周に釣り糸が巻き付けられる糸巻胴部と、糸巻胴部の後端部に設けられ糸巻胴部より大径のスカート部と、スカート部の外周において異なる太さの釣り糸を係止可能な複数の係止部を有する１つの釣糸係止部とを備えている。
【０００７】
このスプールでは、１つの釣糸係止部に異なる太さの釣り糸を係止可能な複数の係止部を有している。ここでは、たとえば比較的直径の小さい道糸を係止可能な係止部や、道糸より直径が大きいリーダーを係止可能な係止部といった複数の係止部を１つの釣糸係止部に設けることにより、任意の太さの釣り糸を係止することができる。
【０００８】
発明２に係るスプールは、リール本体に対して前後移動自在なスピニングリールのスプールであって、外周に釣り糸が巻き付けられる糸巻胴部と、糸巻胴部の後端部に設けられ糸巻胴部より大径のスカート部と、スカート部の外周において異なる太さの釣り糸を係止可能な係止部をそれぞれ有する複数の釣糸係止部とを備えている。
【０００９】
このスプールでは、異なる太さの釣り糸を係止可能な係止部をそれぞれ有する複数の釣糸係止部を備えている。ここでは、たとえば比較的直径の小さい道糸を係止可能な係止部を有する釣糸係止部や、道糸より直径が大きいリーダーを係止可能な係止部を有する釣糸係止部といった複数の釣糸係止部を設けることにより、任意の太さの釣り糸を係止することができる。
【００１０】
発明３に係るスプールは、発明１のスプールにおいて、１つの釣糸係止部は、第１釣り糸を係止可能な第１係止部と、第１釣り糸より太い第２釣り糸を係止可能な第２係止部とを有している。この場合、たとえば比較的直径の小さい道糸等の第１釣り糸を第１係止部に係止でき、道糸より直径が大きいリーダー等の第２釣り糸を第２係止部に係止できる。ここでは、１つの釣糸係止部に第１係止部及び第２係止部を設けているので、従来のスカート部にそのまま取り付けることができ、また全体の部品点数を減少できる。
【００１１】
発明４に係るスプールは、発明２のスプールにおいて、複数の釣糸係止部は、スカート部外周の周方向に沿って間隔を隔てて設けられている。この場合、複数の釣糸係止部は、スカート部の周方向に並べて配置されているので、異なる太さの釣り糸を容易に係止変更できる。
【００１２】
発明５に係るスプールは、発明２又は４のスプールにおいて、複数の釣糸係止部は、第１釣り糸を係止可能な第１係止部を有する第１釣糸係止部と、第１釣り糸より太い第２釣り糸を係止可能な第２係止部を有する第２釣糸係止部とを備えている。この場合、たとえば比較的直径の小さい道糸等の第１釣り糸を第１釣糸係止部の第１係止部に係止でき、道糸より直径が大きいリーダー等の第２釣り糸を第２釣糸係止部の第２係止部に係止できる。ここでは、従来の第１釣糸係止部及び第２釣糸係止部を転用できるとともに、第１係止部及び第２係止部の構造が簡素になる。
【００１３】
発明６に係るスプールは、発明３又は５のスプールにおいて、第２係止部とスカート部との間の隙間は、第１係止部とスカート部との間の隙間より大きい。この場合、たとえば第１係止部とスカート部との間の隙間を第１釣り糸の直径と略同一になるように狭く形成し、第２係止部とスカート部との間の隙間を第１係止部とスカート部との間の隙間より大きい第２釣り糸の直径と略同一になるように広く形成できる。
【００１４】
発明７に係るスプールは、発明３のスプールにおいて、１つの釣糸係止部とスカート部との間に介装された板状のシート部材をさらに備えている。シート部材は、第２係止部に対向する部分に形成され、第２釣り糸を挿入可能な凹陥部を有している。この場合、釣糸係止部とシート部材との間に直径の小さい第１釣り糸を係止でき、凹陥部において釣糸係止部とスカート部との間に第１釣り糸より直径が大きい第２釣り糸を係止できる。
【００１５】
発明８に係るスプールは、発明７のスプールにおいて、凹陥部は、第２係止部の幅より長くなるように形成されている。この場合、第２釣り糸の係止が容易かつ確実になる。
【００１６】
発明９に係るスプールは、発明５のスプールにおいて、第１釣糸係止部とスカート部との間に介装された板状のシート部材をさらに備えている。この場合、たとえば第１釣糸係止部とスカート部との間と第２釣糸係止部とスカート部との間とが略同一に形成されているとき、第１釣糸係止部とスカート部との間にシート部材を介装することによって、第１釣糸係止部とシート部材との間の隙間を狭くでき、このため第１釣り糸を簡単に係止できる。
【００１７】
発明１０に係るスプールは、発明７から９のいずれかのスプールにおいて、第２係止部とスカート部との間の隙間は、第１係止部とシート部材との間の隙間より大きい。この場合、たとえば第１係止部とシート部材との間の隙間を第１釣り糸の直径と略同一になるように狭く形成し、第２係止部とスカート部との間の隙間を第１係止部とシート部材との間の隙間より大きい第２釣り糸の直径と略同一になるように広く形成できる。
【発明の効果】
【００１８】
本発明によれば、スピニングリールのスプールにおいて、１つの釣糸係止部に異なる太さの釣り糸を係止可能な複数の係止部を有しているので、任意の太さの釣り糸を係止することができる。また、異なる太さの釣り糸を係止可能な係止部をそれぞれ有する複数の釣糸係止部を備えているので、任意の太さの釣り糸を係止することができる。
【発明を実施するための最良の形態】
【００１９】
本発明の一実施形態を採用したスピニングリールは、図１に示すように、ハンドル組立体１を回転自在に支持するリール本体２と、ロータ３と、スプール４とを備えている。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置されている。なお、ハンドル組立体１は、リール本体２の左側及び右側のいずれにも装着可能である。
【００２０】
リール本体２は、図１及び図２に示すように、開口を有するリールボディ２ａと、開口を塞ぐようにリールボディ２ａに着脱自在に装着された蓋部材２ｂと、蓋部材２ｂから斜め上前方に延びる竿取付脚２ｃとを有している。リールボディ２ａは内部に空間を有している。この空間内には、ハンドル組立体１の回転に連動してロータ３を回転させるロータ駆動機構５と、スプール４を前後に移動させて釣り糸を均一に巻き取るためのオシレーティング機構６とが設けられている。
【００２１】
ロータ駆動機構５は、図２に示すように、ハンドル組立体１が固定されたマスターギア軸１０とともに回転するマスターギア１１と、このマスターギア１１に噛み合うピニオンギア１２とを有している。ピニオンギア１２は、筒状に形成され、ロータ３の中心部を貫通している。そして、ピニオンギア１２の前部１２ａが、ナット１３によってロータ３に固定されている。また、ピニオンギア１２の中間部と後端部とが、それぞれ軸受１４ａ、１４ｂを介してリール本体２に回転自在に支持されている。
【００２２】
オシレーティング機構６は、図２に示すように、スプール４の中心部を貫通してドラグ機構６０に連結されたスプール軸１５を前後方向に移動させることで、スプール４をドラグ機構６０とともに前後移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２は、スプール軸１５の後端に回転不能に固定されている。中間ギア２３は、図示しない減速機構を介してピニオンギア１２に噛み合っている。この減速機構によって、オシレーティング機構６の前後移動速度が遅くなり、釣り糸をスプール４に緻密に巻き付けることができる。
【００２３】
ロータ３は、図２に示すように、円筒部３０と、円筒部３０の側方に互いに対向して設けられた第１ロータアーム３１及び第２ロータアーム３２とを有している。円筒部３０と第１ロータアーム３１及び第２ロータアーム３２とは一体に成形されている。
円筒部３０の前部には前壁３３が形成され、この前壁３３の中央部にはボス部３３ａが設けられている。ボス部３３ａの中心部には貫通孔が形成され、この貫通孔をピニオンギア１２の前部１２ａ及びスプール軸１５が貫通している。前壁３３の前部にはナット１３が配置され、このナット１３によってピニオンギア１２の前部１２ａがロータ３に固定されている。
【００２４】
第１ロータアーム３１は、円筒部３０から外方に向けて凸状に湾曲して前方へと延びている。第１ロータアーム３１の先端外周側には、第１ベール支持部材４０が揺動自在に装着されている。第１ベール支持部材４０の先端には、釣り糸をスプール４に案内するためのラインローラ４１が装着されている。第２ロータアーム３２は、円筒部３０から外方に凸に湾曲して前方に延びている。第２ロータアーム３２の先端外周側には、第２ベール支持部材４２が揺動自在に装着されている。ラインローラ４１と第２ベール支持部材４２との間には、線材を略Ｕ状に湾曲させたベール４３が固定されている。これらの第１ベール支持部材４０、第２ベール支持部材４２、ラインローラ４１及びベール４３によって、ベールアーム４４は構成される。ベールアーム４４は、図２に示す糸案内姿勢とそれから反転した糸開放姿勢との間で揺動自在である。
【００２５】
ロータ３の円筒部３０の内部にはロータ３の逆転を禁止・解除するための逆転防止機構５０が配置されている。逆転防止機構５０は、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００２６】
スプール４は、図２に示すように、ロータ３の第１ロータアーム３１と第２ロータアーム３２との間に配置されており、スプール軸１５の先端にドラグ機構６０を介して装着されている。スプール４は、外周に釣り糸が巻かれる筒状の糸巻胴部７ａと糸巻胴部７ａの後部に一体で形成された大径筒状のスカート部７ｂとを有するスプール本体７と、糸巻胴部７ａの前端に装着された大径の前フランジ部８と、前フランジ部８をスプール本体７に固定するための前フランジ固定部材９とを有している。また、スプール４は、スカート部７ｂの外周において異なる太さの釣り糸を係止可能な釣糸係止部７０を有している。
【００２７】
スプール本体７は、図２に示すように、たとえばアルミニウム合金を鍛造成形して得られた大小２段の円筒状の部材であり、２つの軸受１６、１７によりスプール軸１５に回転自在に装着されている。
【００２８】
糸巻胴部７ａは、図２に示すように、外周に釣り糸が巻かれる筒状の部材であり、２つの軸受１６、１７によりスプール軸１５に回転自在に支持されている。糸巻胴部７ａは、スカート部７ｂと一体成形された部材であり、前方側からドラグ機構６０が装着されている。
【００２９】
スカート部７ｂは、図２に示すように、ロータ３の円筒部３０を覆うように筒状に糸巻胴部７ａと一体で鍛造成形されている。また、スカート部７ｂの外周の前端側には、図３に示すように、釣糸係止部７０が装着可能な溝部７ｃが形成され、溝部７ｃの前端部分には、スカート部７ｂを貫通し釣糸係止部７０が取付可能な貫通孔７ｄが形成されている。釣糸係止部７０と溝部７ｃとの間には、板状のシート部材８０が装着されている。
【００３０】
釣糸係止部７０は、図３から図６に拡大して示すように、溝部７ｃ外周に面して外方に露出して設けられた係止部７０ａと、係止部７０ａから略直角に折れ曲がり、貫通孔７ｄを貫通してスカート部７ｂ内部に延びる取付部７０ｂとを有している。釣糸係止部７０は、弾性力を有する合成樹脂製部材である。釣糸係止部７０は、図３から図５に示すように、比較的直径の小さい道糸等の第１釣り糸Ｌ１を係止可能な第１係止部７０ｆを有している。また、釣糸係止部７０は、図３、図４及び図６に示すように、第１釣り糸Ｌ１より直径の大きいリーダー等の第２釣り糸Ｌ２を係止可能な第２係止部７０ｇをさらに有している。なお、図３及び図４では、第１釣り糸Ｌ１及び第２釣り糸Ｌ２の２つの釣り糸が図示されているが、実際に係止可能な釣り糸は第１釣り糸Ｌ１及び第２釣り糸Ｌ２のいずれか一方のみである。
【００３１】
係止部７０ａは、図３から図６に示すように、スカート部７ｂの外周面とともに釣り糸を挟持して係止するためのものであり、後方側に延びる先端部７０ｃを有している。この先端部７０ｃを持ち上げることによって、係止部７０ａとスカート部７ｂとの間に隙間が形成される。そして、この隙間に釣り糸を挟み込むことによって、釣り糸が係止部７０ａに係止される。係止部７０ａには、図３及び図４に示すように、取付部７０ｂ側に設けられ第１釣り糸Ｌ１を係止可能な第１係止部７０ｆと、先端部７０ｃ側に設けられ第１釣り糸Ｌ１より大径の第２釣り糸Ｌ２を係止可能な第２係止部７０ｇとが形成されている。
【００３２】
取付部７０ｂは、図３、図５及び図６に示すように、スカート部７ｂ前端の貫通孔７ｄからスカート部７ｂ内周部に延びる板状部材であり、第１ピン部材９０によって糸巻胴部７ａの後端面にスカート部７ｂの内外方向に向かって移動可能に取り付けられている。取付部７０ｂの下部には、第１ピン部材９０が挿入される半長円形のピン装着凹部７０ｄと、取付部７０ｂをスカート部７ｂ内方に付勢するばね部材９２を係止するためのばね係止突部７０ｅとが形成されている。
【００３３】
ピン装着凹部７０ｄは、図３、図５及び図６に示すように、第１ピン部材９０の直径よりやや大きくなるように形成された貫通孔である。ピン装着凹部７０ｄの半円部分は、釣り糸を係止していない係止部７０ａがシート部材８０に接触したときに、第１ピン部材９０のスカート部７ｂ側端部が接触するように配置されている。第１ピン部材９０は、糸巻胴部７ａの後端面に圧入固定されており、図３に示すように、胴部の一部が取付部７０ｂより外方に露出している。
【００３４】
ばね係止突部７０ｅは、ばね部材９２の一端を係止するためのものであり、端部が後方側に突出し、突出部分の後端部の一部が直角に折れ曲がって形成されている。ばね部材９２の他端は、図３、図５及び図６に示すように、第１ピン部材９０の露出した胴部に付勢力をもって接触するようになっている。
【００３５】
ばね部材９２は、図５及び図６に示すように、取付部７０ｂ及び第１ピン部材９０から離反した糸巻胴部７ａの後端面に第２ピン部材９１によって固定されたねじりばねである。第２ピン部材９１は、ばね部材９２のねじり部分を頭部で挟持するようにして糸巻胴部７ａの後端面に圧入固定されている。
【００３６】
係止部７０ａに釣り糸を係止すると、釣り糸の厚みだけ取付部７０ｂがスカート部７ｂ外方に移動する。このとき、ばね部材９２の付勢力によって取付部７０ｂがスカート部７ｂ内方に引き込まれ、このため係止部７０ａがスカート部７ｂ側に平行に引っ張られる。ここでは、係止部７０ａがスカート部７ｂ側に平行に引っ張られるので、従来のように係止部７０ａの付勢力でのみで係止部７０ａ自身が撓んでいる場合に比して、係止部７０ａに大きな負荷を与えることなく釣り糸を強い力で係止できる。
【００３７】
シート部材８０は、図３から図６に示すように、後方側が略半円形となる合成樹脂製の板状部材であり、釣糸係止部７０と溝部７ｃとの間に介装されている。シート部材８０の外形は、溝部７ｃの外形よりやや小さくなるように形成されている。シート部材８０は、図３及び図４に示すように、後方側において第２係止部７２ｇに対向する部分に形成され第２釣り糸Ｌ２を挿入可能な凹陥部８０ａと、前方側においてスカート部７ｂ前端の貫通孔７ｄに連通し取付部７０ｂが装着可能な取付凹部８０ｂと、第１係止部７０ｆに対向する部分に形成され凹陥部８０ａと取付凹部８０ｂとを連結する連結凹部８０ｃとを有している。
【００３８】
凹陥部８０ａは、図４に示すように、両側部が略半円形となる矩形の貫通孔である。取付凹部８０ｂ及び連結凹部８０ｃは矩形の貫通孔である。凹陥部８０ａ、取付凹部８０ｂ及び連結凹部８０ｃは、互いに連通する１つの貫通孔になっている。連結凹部８０ｃの前後長さは、凹陥部８０ａ及び取付凹部８０ｂの前後長さより小さくなるように形成されており、第１釣り糸Ｌ１の直径より大きくなるように形成されている。凹陥部８０ａの前後長さは、第２釣り糸Ｌ２の直径より大きくなるように形成されている。
【００３９】
シート部材８０は、図３に示すように、第２係止部７０ｇと溝部７ｃとの間の隙間Ｂが、第１係止部７０ｆとシート部材８０との間の隙間Ａより大きくなるように形成されている。また、シート部材８０は、図４に示すように、凹陥部８０ａの幅Ｃが、第２係止部７０ｇの幅Ｄより長くなるように形成されている。
【００４０】
フランジ部８は、外周に行くほど前方に傾斜するように形成された金属製又は硬質セラミックス製の傷つきにくい円板状の部材である。フランジ部８は、糸巻胴部７ａの前端内周面に螺合するフランジ固定部材９により糸巻胴部７ａとの間に挟持されて固定されている。
【００４１】
フランジ固定部材９は、スプール本体の内周面に螺合する筒状部材であり、内周部にドラグ機構６０が収納可能な空間を有している。ドラグ機構６０は、スプール４とスプール軸１５との間に装着されスプール４にドラグ力を作用させるための機構である。ドラグ機構６０は、ドラグ力を手で調整するためのつまみ部６１と、つまみ部６１によりスプール４側に押圧される複数枚のドラグ板６２とを有している。
【００４２】
次に、リールの操作及び動作について説明する。
釣りを行う際、キャスティングしてリール本体２から釣り糸を繰り出すために、ベールアーム４４を反転させると、第１ベール支持部材４０及び第２ベール支持部材４２が揺動し、ベールアーム４４を糸開放姿勢にすることができる。この状態で、釣竿を握る手の人差し指で釣り糸を引っかけながら釣竿をキャスティングする。すると、釣り糸は仕掛けの重さによって勢いよく前方に放出される。そして、ハンドル組立体１を糸巻取方向に回転させると、ロータ駆動機構５によりロータ３が糸巻取方向に回転し、ベールアーム４４が図示しないベール反転機構により糸巻取位置に復帰し、釣り糸がスプール４に巻き付けられる。
【００４３】
また、このようなスピニングリールでは、スプール４に釣り糸を巻き付けた後、釣り糸の先端部分を釣糸係止部７０に係止する。釣糸係止部７０に係止する釣り糸が、径の小さい第１釣り糸Ｌ１である場合と、径の大きい第２釣り糸Ｌ２である場合とに分けて以下に説明する。
【００４４】
まず、釣糸係止部７０に径の小さい第１釣り糸Ｌ１を係止するには、図３から図５に示すように、第１釣り糸Ｌ１を係止部７０ａの先端部７０ｃから係止部７０ａとシート部材８０との間の隙間に挿入する。そして、第１釣り糸Ｌ１をシート部材８０の連結凹部８０ｃの位置まで移動させ、第１係止部７０ｆと連結凹部８０ｃの両側のシート部材８０とで第１釣り糸Ｌ１を挟持する。
【００４５】
一方、釣糸係止部７０に径の大きい第２釣り糸Ｌ２を係止するには、図３、図４及び図６に示すように、第２釣り糸Ｌ２を係止部７０ａの先端部７０ｃから係止部７０ａとシート部材８０との間の隙間に挿入する。そして、第２釣り糸Ｌ２をシート部材８０の凹陥部８０ａの位置まで移動させ、第２釣り糸Ｌ２を凹陥部８０ａの内部に挿入する。ここでは、第２係止部７０ｇと凹陥部８０ａの底部分であるスカート部７ｂの溝部７ｃとで第２釣り糸Ｌ２を挟持する。
【００４６】
このような釣糸係止部７０では、径の小さい第１釣り糸Ｌ１を係止可能な第１係止部７０ｆと、径の大きい第２釣り糸Ｌ２を係止可能な第２係止部７０ｇとを有しているので、直径の異なる第１釣り糸Ｌ１及び第２釣り糸Ｌ２を係止することができる。
【００４７】
〔他の実施形態〕
（ａ）  前記実施形態では、フロントドラグ機構を有するスピニングリールを例にあげて説明したが、たとえばフロントドラグ機構とレバードラグ機構との両方を有するスピニングリール等の他のスピニングリールにも本発明を適用できる。
【００４８】
（ｂ）  前記実施形態では、第１釣り糸Ｌ１を係止可能な第１係止部７０ｆと、第２釣り糸Ｌ２を係止可能な第２係止部７０ｇとを有する１つの釣糸係止部７０を備えていたが、図７から図９に示すように、第１釣り糸Ｌ１を係止可能な第１係止部７１ｆを有する第１釣糸係止部７１と、第２釣り糸Ｌ２を係止可能な第２係止部７２ｇを有する第２釣糸係止部７２との２つの釣糸係止部を備える構成にしてもよい。
【００４９】
第１釣糸係止部７１及び第２釣糸係止部７２は、図７に示すように、スカート部７ｂ外周前端の周方向に沿って間隔を隔てて並べて配置されている。
【００５０】
第１釣糸係止部７１には、図８に示すように、第１釣り糸Ｌ１を係止可能な第１係止部７０ｆのみが設けられている。第１釣糸係止部７１と溝部７ｃとの間には、板状のシート部材８０が装着されている。ここでは、第１係止部７０ｆとシート部材８０とで径の小さい第１釣り糸Ｌ１を係止する。
【００５１】
第２釣糸係止部７２には、図９に示すように、第２釣り糸Ｌ２を係止可能な第２係止部７２ｇのみが設けられている。なお、第２釣糸係止部７２と溝部７ｃとの間には、シート部材８０が装着されていない。ここでは、第２係止部７２ｇと溝部７ｃとで径の大きい第２釣り糸Ｌ２を係止する。
【００５２】
ここでは、図８及び図９に示すように、第２係止部７２ｇと溝部７ｃとの間の隙間Ｂが、第１係止部７１ｆとシート部材８０との間の隙間Ａより大きくなるように形成されているので、第１釣糸係止部７１に径の小さい第１釣り糸Ｌ１を係止でき、第２釣糸係止部７２に径の大きい第２釣り糸Ｌ２を係止することができる。
【００５３】
なお、第１釣糸係止部７１及び第２釣糸係止部７２の２つの釣糸係止部に限定されず、３つ以上の複数の釣糸係止部を設ける構成にしてもよい。
【００５４】
（ｃ）  前記実施形態では、釣糸係止部７０と溝部７ｃとの間にはシート部材８０が装着されていたが、シート部材８０を設けない構成にしてもよい。なお、ここでは、第２係止部７０ｇとスカート部７ｂとの間の隙間は、第１係止部７０ｆとスカート部７ｂとの間の隙間より大きくする必要がある。
【００５５】
（ｄ）  前記実施形態では、シート部材８０には、連結凹部８０ｃが形成されていたが、連結凹部８０ｃを設けない構成にしてもよい。また、凹陥部８０ａ、取付凹部８０ｂ及び連結凹部８０ｃの形状は前記実施形態に限定されるものではない。
【００５６】
（ｅ）  前記実施形態では、釣糸係止部７０の取付部７０ｂは、スカート部７ｂの内外方向に向かって移動可能に取り付けられていたが、ピン部材やプッシュナット等によって取付部７０ｂを移動不能に固定するようにしてもよい。
【図面の簡単な説明】
【００５７】
【図１】本発明の一実施形態を採用したスピニングリールの側面図。
【図２】前記スピニングリールの側面断面図。
【図３】前記スピニングリールの釣糸係止部の拡大側面図。
【図４】第１釣り糸及び第２釣り糸を係止した前記釣糸係止部の拡大平面図。
【図５】前記第１釣り糸を係止した前記釣糸係止部の拡大背面断面図。
【図６】前記第２釣り糸を係止した前記釣糸係止部の拡大背面断面図。
【図７】他の実施形態の図１に相当する図。
【図８】他の実施形態の図５に相当する図。
【図９】他の実施形態の図６に相当する図。
【符号の説明】
【００５８】
２  リール本体
４  スプール
７ａ  糸巻胴部
７ｂ  スカート部
７ｃ  溝部
７ｄ  貫通孔
７０  釣糸係止部
７０ａ  係止部
７０ｂ  取付部
７０ｃ  先端部
７０ｄ  ピン装着凹部
７０ｅ  ばね係止突部
７０ｆ  第１係止部
７０ｇ  第２係止部
７１  第１釣糸係止部
７１ｆ  第１係止部
７２  第２釣糸係止部
７２ｇ  第２係止部
８０  シート部材
８０ａ  凹陥部
８０ｂ  取付凹部
８０ｃ  連結凹部
９０  第１ピン部材
９１  第２ピン部材
９２  ばね部材
Ｌ１  第１釣り糸
Ｌ２  第２釣り糸
【図１】
2006204153.tif 000003
【図２】
2006204153.tif 000004
【図３】
2006204153.tif 000005
【図４】
2006204153.tif 000006
【図５】
2006204153.tif 000007
【図６】
2006204153.tif 000008
【図７】
2006204153.tif 000009
【図８】
2006204153.tif 000010
【図９】
2006204153.tif 000011